(57)【特許請求の範囲】
【請求項１】
走行玩具が載置可能に構成され、且つ、水平方向に延在する軸を中心に傾動可能に並設された複数の走行玩具載置板と、
前記複数の走行玩具載置板の並設方向に移動可能に設けられた動作体と、
前記動作体が前記複数の走行玩具載置板の並設方向に移動した際に、前記動作体によって作動され、前記複数の走行玩具載置板を順次に傾動させて、各走行玩具載置板に載置された前記走行玩具を当該走行玩具載置板から発射させる走行玩具載置板傾動機構と、
を備えたことを特徴とする走行玩具用シュータ。
【請求項２】
前記走行玩具載置板傾動機構は、前記走行玩具載置板に形成した第１の摺接部と、前記動作体に配設した第２の摺接部とによって構成され、前記動作体の移動に伴って前記第２の摺接部を前記第１の摺接部に摺接させ、前記第１の摺接部と前記第２の摺接部との摺接力によって、前記走行玩具載置板を傾動させることを特徴とする請求項１に記載の走行玩具用シュータ。
【請求項３】
前記動作体は動力源を有し、この動力源の動力によって、第１の位置から第２の位置まで移動可能に構成され、前記第１の位置から前記第２の位置まで移動する間に、前記複数の走行玩具載置板を順次に傾動させることを特徴とする請求項１又は請求項２に記載の走行玩具用シュータ。
【請求項４】
前記動力源はばねであり、前記ばねは、前記動作体を前記第２の位置から前記第１の位置まで移動させることによって蓄圧されることを特徴とする請求項３に記載の走行玩具用シュータ。
【請求項５】
前記動作体を前記第１の位置で係止する動作体係止手段と、前記動作体係止手段による前記動作体の係止を解除する動作体係止解除手段とを備えたことを特徴とする請求項３又は請求項４に記載の走行玩具用シュータ。
【請求項６】
ケースに組み付けられていることを特徴とする請求項５に記載の走行玩具用シュータ。
【請求項７】
前記ケースは結合可能に構成され、一の前記ケースに構成された前記動作体が前記第１の位置から前記第２の位置に至った際に、当該動作体によって、他の前記ケースの動作体係止解除手段が作動されるように構成されている
ことを特徴とする請求項６に記載の走行玩具用シュータ。
【発明の詳細な説明】
【技術分野】
【０００１】
本発明は、走行玩具用シュータに関するものである。
【背景技術】
【０００２】
走行玩具用シュータとしては、水平方向に延在する軸を中心に回動可能に支持された走行玩具載置板を先端部が基端部よりも上方となるように位置させた状態で、その走行玩具載置板の上に走行玩具を載置し、その走行玩具載置板を前記軸を中心に回動させてその先端部が基端部よりも下方に位置するように傾動させることによって、走行玩具を発射させるものが知られている（例えば、特許文献１参照）。
【先行技術文献】
【特許文献】
【０００３】
【特許文献１】実開平６−１３８９５号公報
【発明の概要】
【発明が解決しようとする課題】
【０００４】
しかしながら、上記特許文献１に開示された走行玩具用シュータは、載置板の先端部の操作片を手で直接的に操作することによって走行玩具載置板を傾動させるものとなっているため、当該載置板に載置されている走行玩具しか発射できず、複数の走行玩具を載置した場合には一斉に走行させる他はなかった。
【０００５】
本発明の目的は、変化に富んだ遊戯が行える走行玩具用シュータを提供することにある。
【課題を解決するための手段】
【０００６】
請求項１に記載の発明は、
走行玩具が載置可能に構成され、且つ、水平方向に延在する軸を中心に傾動可能に並設された複数の走行玩具載置板と、
前記複数の走行玩具載置板の並設方向に移動可能に設けられた動作体と、
前記動作体が前記複数の走行玩具載置板の並設方向に移動した際に、前記動作体によって作動され、前記複数の走行玩具載置板を順次に傾動させて、各走行玩具載置板に載置された前記走行玩具を当該走行玩具載置板から発射させる走行玩具載置板傾動機構と、
を備えたことを特徴とする走行玩具用シュータである。
【０００７】
請求項２に記載の走行玩具用シュータは、請求項１に記載の走行玩具用シュータにおいて、前記走行玩具載置板傾動機構は、前記走行玩具載置板に形成した第１の摺接部と、前記動作体に配設した第２の摺接部とによって構成され、前記動作体の移動に伴って前記第２の摺接部を前記第１の摺接部に摺接させ、前記第１の摺接部と前記第２の摺接部との摺接力によって、前記走行玩具載置板を傾動させることを特徴とする。
【０００８】
請求項３に記載の走行玩具用シュータは、請求項１又は請求項２に記載の走行玩具用シュータにおいて、前記動作体は動力源を有し、この動力源の動力によって、第１の位置から第２の位置まで移動可能に構成され、前記第１の位置から前記第２の位置まで移動する間に、前記複数の走行玩具載置板を順次に傾動させることを特徴とする。
【０００９】
請求項４に記載の走行玩具用シュータは、請求項３に記載の走行玩具用シュータにおいて、前記動力源はばねであり、前記ばねは、前記動作体を前記第２の位置から前記第１の位置まで移動させることによって蓄圧されることを特徴とする。
【００１０】
請求項５に記載の走行玩具用シュータは、請求項４に記載の走行玩具用シュータにおいて、前記動作体を前記第１の位置で係止する動作体係止手段と、前記動作体係止手段による前記動作体の係止を解除する動作体係止解除手段とを備えたことを特徴とする。
【００１１】
請求項６に記載の走行玩具用シュータは、請求項５に記載の走行玩具用シュータにおいて、ケースに組み付けられていることを特徴とする。
【００１２】
請求項７に記載の走行玩具用シュータは、請求項６に記載の走行玩具用シュータにおいて、前記ケースは結合可能に構成され、一の前記ケースに構成された前記動作体が前記第１の位置から前記第２の位置に至った際に、当該動作体によって、他の前記ケースの動作体係止解除手段が作動されるように構成されていることを特徴とする。
【発明の効果】
【００１３】
請求項１又は請求項２に記載の走行玩具用シュータによれば、動作体が複数の走行玩具載置板の並設方向に移動した際に、複数の走行玩具載置板が順次に傾動して、各走行玩具載置板に載置された走行玩具を当該走行玩具載置板から発射させるので、変化に富んだ遊びをすることができる。
【００１４】
請求項３又は請求項４に記載の走行玩具用シュータによれば、動作体が動力源を有するので、動作体が第１の位置から第２の位置まで自らの動力によって動作し、複数の走行玩具を順次に発射させることができる。
【００１５】
請求項５に記載の走行玩具用シュータによれば、動作体を第１の位置に待機させておき、所望する時に走行玩具を発射させることができる。
【００１６】
請求項６に記載の走行玩具用シュータによれば、走行玩具用シュータがケースに組み付けられているので、片付けも容易である。
【００１７】
請求項７の走行玩具用シュータによれば、走行玩具用シュータを結合することによってより多数の走行玩具を順次に発射させることができる。
【図面の簡単な説明】
【００１８】
【図１】実施形態の走行玩具用シュータの扉を閉塞した状態を示した斜視図である。
【図２】実施形態の走行玩具用シュータを操作している状態を示した斜視図である。
【図３】実施形態の走行玩具用シュータを後方から見た斜視図である。
【図４】実施形態の走行玩具用シュータのゼンマイばねの巻上げ構造及び動作体案内機構を示した斜視図である。
【図５】実施形態の走行玩具用シュータの動作体係止機構を示した断面図で、（Ａ）は係止解除状態を示し、（Ｂ）は係止状態を示している。
【図６】実施形態の走行玩具用シュータの動作体側の摺接部を示した斜視図である。
【図７】実施形態の走行玩具用シュータの動作体側の摺接部と走行玩具載置板側の摺接部とを示した斜視図である。
【図８】実施形態の走行玩具用シュータを結合した状態を示したもので、（Ａ）は横に結合した状態を示し、（Ｂ）は背中合わせに結合した状態を示している。
【発明を実施するための形態】
【００１９】
以下、本発明に係る実施の形態を図面に基づいて説明する。
【００２０】
＜全体＞
１.構成について
図１に示すように、走行玩具用シュータ１は、蓋１２を閉じた状態では、全体が直方体形状を呈している。この走行玩具用シュータ１は、走行玩具１Ａ（図２参照）を発射させる機能と、走行玩具１Ａを収容する収容ケースとしての機能を併せ持っている。しかし、走行玩具用シュータ１の全体的な形状は直方体形状に限定されず、円柱形状その他の形状であってもよいことは勿論である。
また、この走行玩具用シュータ１の適用対象としている走行玩具１Ａは手押し式の自動車玩具である。しかし、走行玩具１は手押し式の自動車玩具に限定されず、鉄道車両玩具その他の走行玩具であってもよい。
さらに、この走行玩具用シュータ１は、内部に４台の走行玩具１Ａを収容可能となっている。そして、この走行玩具用シュータ１は前面に蓋１２を有しており、この蓋１２は、開放した状態で、その裏面が走路板を構成する。
【００２１】
２.動作の概略について
次に、動作の概略を図２及び図３に基づいて説明する。
蓋１２を開放した状態で、走行玩具用シュータ１の上面にある動作体２１を操作ボタン２９側の第１の位置まで手で移動させる。すると、動作体２１はその第１の位置で係止される。
その後、操作ボタン２９を押下すると、動作体２１の係止が解除され、動作体２１が操作ボタン２９から離間した方向の第２の位置まで移動する。
そして、動作体２１の移動に伴って、操作ボタン２９側から順番に１台ずつ計４台の走行玩具１Ａが走行玩具用シュータ１から走路板を介して外部に発射（排出）される。
また、動作体２１の第２の位置にスロープ５を設けておき、動作体２１を操作ボタン２９側の第１の位置まで手で移動させた後、動作体２１の移動域に走行玩具１Ａを載せておけば、動作体２１に押圧されて当該走行玩具１Ａはスロープ５から外部に発射される。
【００２２】
＜細部＞
１．ケース２について
走行玩具用シュータ１は、直方体形で内部が空洞となっており且つ前面が開放されたケース２を備えている。このケース２の内部には走行玩具収容部１０が形成されている。この走行玩具収容部１０は、３つの隔壁１４によって、走行玩具収容部１０の幅方向で４つの部屋１５に区切られている。そして、４つの部屋１５には、それぞれ、走行玩具載置板１１（１１ａ，１１ｂ，１１ｃ，１１ｄ）が１つずつ配置されている。
【００２３】
２．走行玩具載置板１１について
各走行玩具載置板１１は、前後方向の中間部が幅方向に延在する軸１１Ｂ（図７参照）によって傾動可能に支持されている。各走行玩具載置板１１は奥側の一端に背板１１Ａ（図６及び図７参照）を有している。そして、各走行玩具載置板１１は、常態で、上面が水平又は奥側に向けて僅かながら下り勾配を有するように設置されている。ここで「奥側」とはケース２の開口部とは反対側を言う。
【００２４】
３．蓋１２について
蓋１２は、第１の板１２ａ，第２の板１２ｂ及び第３の板１２ｃから構成されている。
第１の板１２ａは、基端側が幅方向に延在する軸（不図示）によってケース２に回動可能に支持されている。また、第２の板１２ｂは、第１の板１２ａに対してテレスコープ式に収容可能に支持され、第１の板１２ａに対して出没可能となっている。さらに、第３の板１２ｃは、基端側が幅方向に延在する軸（不図示）によって第２の板１２ｂに回動可能に支持されている。
この蓋１２は、図２に示す開放状態では、走路板を構成する。一方、図２に示す開放状態から、第２の板１２ｂをケース２側に移動させて第１の板１２ａに収容し、第２の板１２ｂを収容した第１の板１２ａと第３の板１２ｃとを同時に上方に回動させて起立状態にするとともに、第３の板１２ｃの走路板の上面側が外方となるように第３の板１２ｃを回動させることによって、蓋１２が構成される。この蓋１２によってケース２の開口を閉塞する。
また、ケース２には、開口の上縁に蓋１２の係止具１３が設けられている。そして、この係止具１３によって蓋１２を係止することで、蓋１２は閉塞状態に保持される。
【００２５】
４．動作体２１について
動作体２１には、図４に示すように、ゼンマイばね（不図示）を含むゼンマイユニット２２が設けられている。また、動作体２１には、ゼンマイユニット２２のゼンマイばねに連係された歯車列２４が設けられている。符号２４ａは、この歯車列２４において入出力歯車となっている。なお、動力源としてゼンマイばねに代えてモータを設けてもよいし、手動で動作体２１を移動させる構造であってもよい。
【００２６】
５．ゼンマイばねの巻上げ構造
図４に示すように、ケース２の底面奥側には、ケース２の幅方向に延在するように直線状のラック２３が配設されている。このラック２３は上記入出力歯車２４ａとの間でラック・ピニオン機構を構成している。
そして、動作体２１を、操作ボタン２９から離間した第２の位置から操作ボタン２９側の第１の位置に移動させると、それに伴って、ラック２３に噛合する入出力歯車２４ａがラック２３上を転動する。これによって、ゼンマイユニット２２のゼンマイばねが巻き上げられて畜圧される。
一方、ゼンマイユニット２２のゼンマイばねが巻き上げられた状態で動作体２１をフリーにすると、畜圧されたゼンマイばねの動力によって、動作体２１が第２の位置側に移動し、それに伴って、ラック２３に噛合する入出力歯車２４ａがラック２３上を転動する。これによって、ゼンマイユニット２２のゼンマイばねが解旋される。
【００２７】
６．動作体２１の案内機構について
図４に示すように、ケース２の底面奥側には、ケース２の幅方向に延在するように直線状のレール２５が配設されている。動作体２１の下側には、このレール２５の断面形状と相補的な凹部（不図示）が形成されている。この動作体２１の凹部はレール２５に嵌り合っている。
そして、動作体２１は、このレール２５に案内されてケース２の幅方向に移動可能となっている。
【００２８】
７．動作体係止機構について
図４に示すように、ケース２の底面奥側には、ケース２の幅方向に延在するようにシーソ板２７が配設されている。このシーソ板２７は、図５（Ａ）及び図５（Ｂ）に示すように、中間部の軸２７ａを中心に回動可能に構成されている。このシーソ板２７の操作ボタン２９側の一端は操作ボタン２９の下側に潜り込んでいる。このシーソ板２７は、自重によって、操作ボタン２９側のアームが他方側のアームに対して常態で浮上した形となっている。なお、シーソ板２７は、自重によらずに、或いは自重に加えて、スプリング等の付勢手段によって操作ボタン２９側のアームが他方側のアームに対して常態で浮上するように構成してもよい。
シーソ板２７には、操作ボタン２９側のアームの操作ボタン２９から離間した位置に係止爪２７ｂが付設されている。
一方、動作体２１には一側面に突起２８が付設されている。この突起２８は、動作体２１の第１の位置側への移動に伴って、係止爪２７ｂの斜面に摺接可能となっている。
そして、動作体２１が操作ボタン２９から離間した位置（第２の位置）から操作ボタン２９側の第１の位置に向けて移動して係止爪２７ｂの箇所に至ると、動作体２１の突起２８が係止爪２７ｂの斜面に摺接し、操作ボタン２９側のアームを押下させる。その後、動作体２１の突起２８が係止爪２７ｂの箇所を通過すると、突起２８と係止爪２７ｂの摺接がなくなるので、操作ボタン２９側のアームが重力作用によって上昇する。その結果、係止爪２７ｂが動作体２１の突起２８に係止する位置まで上昇する。
【００２９】
８．動作体係止解除機構について
図５（Ａ）及び図５（Ｂ）に示すように、操作ボタン２９には、シーソ板２７の操作ボタン２９側のアームの上縁に当接する突起２９ａが内側に向けて付設されている。この操作ボタン２９は、突起２９ａがシーソ板２７の操作ボタン２９側のアームの上縁に当接することで、上方に付勢されている。なお、操作ボタン２９自体がスプリング等の付勢手段によって上方に付勢されていてもよい。
そして、この操作ボタン２９を押下したとき、突起２９ａがシーソ板２７の操作ボタン２９側のアームを押圧して下降させ、係止爪２７ｂによる、動作体２１の突起２８の係止を解除する。これによって、畜圧されたゼンマイばねの動力で動作体２１が操作ボタン２９から離間する方向（第２の位置方向）に移動する。
【００３０】
９．走行玩具載置板１１の傾動機構
この走行玩具用シュータ１には、動作体２１が操作ボタン２９から離間する方向（第２の位置方向）に移動する際に、走行玩具載置板１１を傾動させる傾動機構が設けられている。
すなわち、動作体２１には、図６及び図７に示すように、上記突起２８が形成された側面とは反対側の側面にカム機構の一方を構成する摺接部３１ａが付設されている。この摺接部３１ａは、上下方向に延在する軸３１ｂを中心に回動可能に構成され、この軸３１ｂに巻装されたトーションばね（不図示）によって先端部が動作体２１から離間する方向に付勢されている。
一方、走行玩具載置板１１の背板１１Ａには、傾斜面から成る摺接部３２ａが形成されている。
そして、動作体２１が第１の位置から第２の位置まで移動する際に、摺接部３１ａが摺接部３２ａに摺接し、その摺接力によって、走行玩具載置板１１の後端部を押し上げて傾動させるように構成されている。この走行玩具載置板１１の傾動によって、当該走行玩具載置板１１に載置されていた走行玩具１Ａが発射される。
なお、動作体２１の摺接部３１ａは、動作体２１が第２の位置から第１の位置に戻るときには、上記トーションばねの付勢力に抗して、走行玩具載置板１１の後面に倣って回動する。
【００３１】
１０．走行玩具用シュータ１同士の結合構造
（１）走行玩具用シュータ１を横に並べて結合するための構造
図１及び図２に示すように、走行玩具用シュータ１のケース２の一側面には前後に突起３ａが付設されている。一方、ケース２の反対側の一側面には、上記突起３ａが嵌合する穴（不図示）が形成されている。
そして、走行玩具用シュータ１は、上記突起３ａと上記穴とを嵌合させることによって、図８（Ａ）に示すように、走行玩具用シュータ１が横に並べられた形で結合される。
なお、この場合の結合構造は、これに限定されない。例えば、マグネットによって、走行玩具用シュータ１を互いに結合してもよいし、一方の走行玩具用シュータ１の突起を他方の走行玩具用シュータ１の挟持部で弾性的に挟持することによって、走行玩具用シュータ１同士を結合するようにしてもよい。
【００３２】
（２）走行玩具用シュータ１を背中合わせに結合するための構造
図３に示すように、走行玩具用シュータ１のケース２の後面には突起３ｃ及び穴３ｄの組が付設されている。
そして、走行玩具用シュータ１は、上記突起３ｃと上記穴３ｄとを嵌合させることによって、図８（Ｂ）に示すように、走行玩具用シュータ１が背中合わせに並べられた形で結合される。
なお、この場合の結合構造は、これに限定されない。例えば、マグネットによって、走行玩具用シュータ１を互いに結合してもよいし、一方の走行玩具用シュータ１の突起を他方の走行玩具用シュータ１の挟持部で弾性的に挟持することによって、走行玩具用シュータ１同士を結合するようにしてもよい。
【００３３】
１１. 走行玩具用シュータ１間の動力結合構造
（１）走行玩具用シュータ１を横に並べた場合の動力結合構造
操作ボタン２９には、図５（Ａ）及び図５（Ｂ）に示すように、突起２９ｂがケース２の幅方向外方に向けて付設されている。この突起２９ｂの上面は外方に向けて下り勾配を有している。この突起２９ｂはケース２の側面外方に突出して設けられている。一方、走行玩具用シュータ１のケース２には、図１及び図３に示すように、操作ボタン２９側とは反対側の面に孔３ｅが形成されている。また、動作体２１には、図５（Ａ）及び図５（Ｂ）に示すように、操作ボタン２９側とは反対側の面に突起２１ａが付設されている。
そして、上記孔３ｅには、走行玩具用シュータ１同士を結合した際、隣接された走行玩具用シュータ１の操作ボタン２９の突起２９ｂが受容可能となっている。この状態で、一方の走行玩具用シュータ１の動作体２１が第２の位置まで移動すると、当該動作体２１の突起２１ａが当該一方の走行玩具用シュータ１の第２の位置側に結合された他の走行玩具用シュータ１の操作ボタン２９の突起２９ｂの斜面に摺接する。これによって、当該他の走行玩具用シュータ１の操作ボタン２９が下降し、当該他の走行玩具用シュータ１の動作体２１の係止が解除される。
本実施形態では、このような構成となっているため、走行玩具用シュータ１を横に並べた状態で結合した際、一方の走行玩具用シュータ１の操作ボタン２９を押下すれば、まず、一方の走行玩具用シュータ１に収容されている走行玩具１Ａが順番に発射された後、他方の走行玩具１Ａの操作ボタン２９が自動的に押下され、他方の走行玩具用シュータ１にある走行玩具１Ａが順番に発射される。
【００３４】
（２）走行玩具用シュータ１を背中合わせに並べた場合の動力結合構造
上述したように、操作ボタン２９には、図８（Ａ）に示すように突起２９ｃがケース２の後方に向けて突出して設けられている。この突起２９ｃの上面には走行玩具用シュータ１の第２の位置側に向けて下り勾配を有している。この突起２９ｃはケース２の後面から突出して設けられている。一方、走行玩具用シュータ１のケース２の後面には、図３に示すように、操作ボタン２９側とは反対側の面に孔３ｆが形成されている。
そして、上記孔３ｆには、走行玩具用シュータ１同士を背中合わせで結合した際、隣接された走行玩具用シュータ１の操作ボタン２９の突起２９ｃが受容可能となっている。この状態で、一方の走行玩具用シュータ１の動作体２１が第２の位置まで移動すると、当該動作体２１の突起２８が他の走行玩具用シュータ１の操作ボタン２９の突起２９ｃの斜面に摺接する。これによって、当該他の走行玩具用シュータ１の操作ボタン２９が下降し、当該他の走行玩具用シュータ１の動作体２１の係止が解除される。
本実施形態では、このような構成となっているため、走行玩具用シュータ１を背中合わせに結合した際、一方の走行玩具用シュータ１の操作ボタン２９を押下すれば、まず、一方の走行玩具用シュータ１にある走行玩具１Ａが順番に発射された後、他方の走行玩具１Ａの操作ボタン２９が自動的に押下され、他方の走行玩具用シュータ１にある走行玩具１Ａが順番に発射される。
【００３５】
＜効果＞
このように構成された走行玩具用シュータ１によれば次のような効果が得られる。
第１に、動作体２１が複数の走行玩具載置板１１の並設方向に移動した際に、複数の走行玩具載置板１１が順次に傾動して、各走行玩具載置板１１に載置された走行玩具１Ａを当該走行玩具載置板１１から発射させるので、変化に富んだ遊びをすることができる。
【００３６】
第２に、動作体２１が動力源を有するので、動作体２１が第１の位置から第２の位置まで自らの動力によって動作し、複数の走行玩具１Ａを順次に発射させることができる。
【００３７】
第３に、動作体２１が第１の位置で係止できるので、第１の位置で動作体２１を係止させることで待機させておき、所望する時に走行玩具１Ａを発射させることができる。
【００３８】
第４に、走行玩具用シュータ１がケース２に組み付けられているので、片付けも容易である。
【００３９】
第５に、走行玩具用シュータ１を結合することによってより多数の走行玩具１Ａを順次に発射させることができる。
【００４０】
以上、本発明の実施形態について説明したが、本発明は、かかる実施形態に限定されるものではなく、その要旨を逸脱しない範囲で種々の変形が可能であることは言うまでもない。
上記の動力結合構造においては動作体２１の一部と操作ボタン２９の一部との摺接によって隣接する走行玩具用シュータ１の動作体２１の係止を解除するように構成したが、例えば、操作ボタン２９に代えて操作レバーを使用する場合には、動作体２１の突き当たりによって操作レバーを動作させて隣接する走行玩具用シュータ１の動作体２１の係止を解除してもよい。要は、動作体２１が第２の位置に到達した際に、操作部（操作ボタン２９等）の動作を通じて間接的に、或いは直接的に動作体係止解除機構が作動するように構成することである。
【符号の説明】
【００４１】
１    走行玩具用シュータ
２    ケース
１０    走行玩具収容部
１１ａ〜１１ｄ    走行玩具載置板
１２    扉
１２ａ    第１の板
１２ｂ    第２の板
１２ｃ    第３の板
２１    動作体
３１ａ，３２ａ    摺接部
【図１】
0005911906.tif 000002
【図２】
0005911906.tif 000003
【図３】
0005911906.tif 000004
【図４】
0005911906.tif 000005
【図５】
0005911906.tif 000006
【図６】
0005911906.tif 000007
【図７】
0005911906.tif 000008
【図８】
0005911906.tif 000009